【手続補正書】
【提出日】平成19年2月19日(2007.2.19)
【手続補正１】
【補正対象書類名】特許請求の範囲
【補正対象項目名】全文
【補正方法】変更
【補正の内容】
【特許請求の範囲】
【請求項１】
ほぼ平坦な頂面および底面を有するトレイと、頂端部および底端部を有する細長い本体を形成する延長部材とを具備し、
上記トレイおよび延長部材のうちの一方は外側に突出するボスを備え、該ボスは筒状部分およびテーパ状部分を備える外壁を有し、
上記トレイおよび延長部材のうちの他方は内側に延びてボア壁を形成するボアを備え、該ボア壁は筒状部分とテーパ状部分とを備え、
上記延長部材は、上記ボスが上記ボア内に受容された状態で上記トレイと取り外し可能に係合することができ、上記ボスのテーパ状部分が上記ボアのテーパ状部分上に載置されると共に上記ボスの筒状部分が圧入状態で上記ボアの筒状部分に受容されて、上記トレイと延長部材との間の連結部を形成する膝補綴部材の頸骨用構成要素。
【請求項２】
上記テーパ状部分は繋止用テーパを形成する請求項１に記載の頸骨用構成要素。
【請求項３】
上記ボスは上記トレイの底面から下方に延び、上記ボアは、上記延長部材の頂端部から底端部に向かって延びる該延長部材内に形成された第一軸線ボアを具備する請求項１に記載の頸骨用構成要素。
【請求項４】
上記ボスのテーパ状部分は該ボスの筒状部分の下方に形成され、上記ボアのテーパ状部分は該ボアの筒状部分の下方に形成され、よって上記連結部のテーパ状の載置部分は、該連結部の筒状の圧入部分の下方に位置する請求項３に記載の頸骨用構成要素。
【請求項５】
上記ボスと上記第一軸線ボアとの間の筒状の圧入は、該ボアをシールし、圧入部分の下方のボアの部分に物質が侵入または侵出するのを防止する請求項４に記載の頸骨用構成要素。
【請求項６】
上記トレイおよび上記延長部材は、上記連結部の筒状部分およびテーパ状載置部分を除いて如何なる場所においても互いに離間せしめられる請求項１に記載の頸骨用構成要素。
【請求項７】
上記トレイは、上記底面に沿って延び且つ該底面から下方に突出する少なくとも一つのフィンをさらに具備し、上記延長部材は、外側に突出する少なくとも一つのフィンをさらに具備し、これらフィンは頂部から底部まで互いに整列せしめられて単一のフィンとして突出しつつこれらフィンが接触しないように軸線方向に離間される請求項１に記載の頸骨用構成要素。
【請求項８】
上記ボスは、該ボスと上記ボアとの間であって上記筒状部分と上記テーパ状部分との間に間隙ができるように、筒状部分とテーパ状部分との間で解放される請求項４に記載の頸骨用構成要素。
【請求項９】
予め定められた組立関係で上記延長部材と上記トレイとを整列させる回動方向整列手段をさらに具備し、該回動方向整列手段は上記連結部内に形成される請求項１に記載の頸骨用構成要素。
【請求項１０】
上記回動方向整列手段は筒状圧入部分に対して上記連結部内に位置決めされ、回動方向整列手段から物質が上記連結部の外部へと移動するのを防止するように該連結部内でシールされる請求項９に記載の頸骨用構成要素。
【請求項１１】
上記回転方向整列手段は穴に受容されるピンを具備する請求項９に記載の頸骨用構成要素。
【請求項１２】
上記ピンは上記第一軸線ボア内に配置され且つ上記ボス内に形成された穴に受容される請求項１１に記載の頸骨用構成要素。
【請求項１３】
上記延長部材はキールを具備し、且つ底端部から頂端部に向かって延びると共に上記第一軸線ボアと通じる第二軸線ボアを備え、該第二軸線ボアはステム延長部材を受容するためのテーパ状の内壁を形成する請求項３に記載の頸骨用構成要素。
【請求項１４】
上記トレイは、頂面から上記ボスを通って下方へ延びると共に上記第一軸線ボアに通じるボアを備え、該トレイのボアは上記キールおよび上記ステム延長部材のうちの一方と係合するようにボルトを受容する請求項１３に記載の頸骨用構成要素。
【請求項１５】
頂面および底面を有する第一構成要素と、
頂端部と底端部と該頂端部から底端部まで延びる軸線とを有し、且つ上記第一構成要素の底面に取り外し可能に取付けられる第二構成要素とを具備し、
上記第一構成要素および第二構成要素のうちの一方は外壁を有する雄連結要素を備え、該外壁は第一形状である第一載置部分と第二形状である第二載置部分とを備え、
上記第一構成要素および第二構成要素のうちの他方は内壁を有する雌連結要素を備え、該内壁は、上記雄第一載置部分の形状と一致する第一形状である第一載置部分と、上記雄第二載置部分の形状と一致する第二形状である第二載置部分とを備え、第一載置部分の形状と第二載置部分の形状とは一致しておらず、上記第二構成要素は上記雄第一載置部分および雄第二載置部分が雌第一載置部分および雌第二載置部分と緊密状態となるように解放可能に上記第一構成要素に連結せしめられる骨関節用インプラント。
【請求項１６】
上記第一載置部分および第二載置部分のうちの一方はシール連結部を具備し、該連結部を横断して物質が通過するのを防止する請求項１５に記載の骨関節用インプラント。
【請求項１７】
上記第一載置部分および第二載置部分のうちの一方は圧入連結部を具備する請求項１５に記載の骨関節用インプラント。
【請求項１８】
上記第一載置部分はテーパ状連結部を具備し、上記第二載置部分は筒状圧入連結部を具備する請求項１７に記載の骨関節用インプラント。
【請求項１９】
上記テーパ状連結部は繋止用テーパである請求項１８に記載の骨関節用インプラント。
【請求項２０】
上記筒状圧入連結部は上記テーパ状連結部に近接した空間をシールすると共に上記テーパ状連結部から物質が外部に移動するのを防止する請求項１８に記載の骨関節用インプラント。
【請求項２１】
上記第一構成要素および第二構成要素のうちの少なくとも一方は少なくとも一つのフィンを備える請求項１５に記載の骨関節用インプラント。
【請求項２２】
上記第一構成要素はその底面に沿って径方向に延びると共に下方に突出する少なくとも一つのフィンを備え、上記第二構成要素は、外面と、該外面に沿って延びると共に径方向外側に突出する少なくとも一つのフィンとを備え、上記二つの構成要素上のフィンは単一のフィンとして突出するように頂部から底部まで整列し、上記二つの構成要素上のフィンは互いに軸線方向に離間せしめられる請求項２１に記載の骨関節用インプラント。
【請求項２３】
上記第一構成要素は頸骨用トレイ構成要素を具備し、上記第二構成要素は頸骨用キール構成要素を具備する請求項１５に記載の骨関節用インプラント。
【請求項２４】
頂面と、底面と、これらの間に延びる軸線を有するトレイであって、少なくとも一つのフィンが上記底面に沿って径方向外側に延びると共に軸線方向下方に突出するトレイと、
頂端部と、底端部と、上記トレイの軸線にほぼ平行に該頂端部から該底端部まで延びる軸線とを有するキールであって、外面を形成すると共に上記トレイの底部に取り外し可能に取付けられ、上記外面に沿って軸線方向に延びると共に径方向外側に突出する少なくとも一つのフィンをさらに具備するキールとを具備し、
上記トレイのフィンと上記キールのフィンとは、頂部から底部まで互いにほぼ軸線方向に整列し、単一のフィンとして突出しつつこれらフィンが接触しないように軸線方向に離間されている膝補綴部材の頸骨用構成要素。
【請求項２５】
上記トレイは上記底面から下方に突出するボスを備え、上記キールは頂端部から底端部に向かって延びる軸線ボアを備え、上記ボスは前記軸線ボア内に受容されて上記キールを上記トレイに取付け、上記トレイの底部上の少なくとも一つのフィンは上記ボスから離間されて上記ボスのフィンと上記トレイのフィンとの間に間隙が形成され、上記キールは該キールの一部が間隙内に嵌合するように上記ボス上に載置される請求項２４に記載の頸骨用構成要素。
【請求項２６】
上記キールの少なくとも一つのフィンは下方に向かって上記少なくとも一つのトレイのフィンと平行に切れ込みが入れられ、上記トレイのフィンは上記キールのフィンと接触することなく上記キールのフィンと平行に上記切れ込み内に侵入するように下方に突出する請求項２５に記載の頸骨用構成要素。
【請求項２７】
頂面と底面とを有するトレイと、
上端部と底端部と該上端部から該底端部まで延びる軸線とを有し、上記トレイの底部と係合可能なキールとを具備し、
上記キールと上記トレイとは、該キールとトレイとを予め定められた組立関係で整列するための回動方向整列手段を有する連結部を形成し、該回動方向整列手段は該回動方向整列手段から上記連結部の外部に物質が移動することを防止するように上記連結部内にシールされる膝補綴部材の頸骨用構成要素。
【請求項２８】
上記回動方向整列手段は穴に受容されるピンを具備する請求項２７に記載の頸骨用構成要素。
【請求項２９】
上記キールは頂端部から下方に延びるボアを備え、上記トレイは底面から下方に延びるボスを備え、該ボスは上記ボア内に受容されて上記トレイと上記キールとの間の連結部を形成し、上記ピンは上記ボア内に配置され、上記穴はボス内に形成される請求項２８に記載の頸骨用構成要素。
【請求項３０】
第一モジュール式連結構成要素と第二モジュール式連結構成要素とを組み立てるための組立工具において、
第一モジュール式連結構成要素および第二モジュール式連結構成要素とそれぞれ連結可能な第一工具要素および第二工具要素とを具備し、上記第一モジュール式連結構成要素と上記第二モジュール式連結構成要素とを引き寄せて載置状態となるように、当該組立工具を作動させて該第一工具要素と第二工具要素とを互いに対して付勢することができるようにエネルギを蓄える組立工具。
【請求項３１】
上記組立工具のエネルギは構成要素を共に圧入状態へと迅速にスナップするように迅速に解放される請求項３０に記載の組立工具。
【請求項３２】
上記第一工具要素は第一モジュール式連結構成要素および第二モジュール式連結構成要素のうちの一方と連結する端部を有するシャフトを具備し、該端部はネジ付き連結要素およびＴ字上連結要素から成るグループから選択される連結要素を具備する請求項３０に記載の組立工具。
【請求項３３】
上記第一工具要素および第二工具要素を付勢するためのバネ動力付きリニアモータをさらに具備する請求項３０に記載の組立工具。
【請求項３４】
付勢エネルギを蓄えるための圧縮可能なバネと、
上記バネの第一端部に取付けられる第一リンク機構と、
上記バネの第二端部に取付けられる第二リンク機構とをさらに具備し、
上記第一リンク機構は、上記バネの第一端部を解放し、上記蓄えられた付勢エネルギの第一部分を解放して第一工具要素と第二工具要素とを互いに対して移動させるように作動可能であり、上記第二リンク機構は、上記バネの第二の端部を解放して上記蓄えられた付勢エネルギの第二部分を解放するように作動可能である請求項３３に記載の組立工具。
【請求項３５】
上記ハンドル上に取付けられたトリガをさらに具備し、該トリガは該トリガを一度押すだけで第一リンク機構と第二リンク機構を順次作動させることができる請求項３４に記載の組立工具。
【請求項３６】
上記トリガは第一端部と第二端部とを有し、該第一端部で回転するようにハウジングにピン留めされ、上記第一リンク機構および上記第二リンク機構との接触部をさらに具備し、上記トリガはその第一端部回りで回動可能であり、第一接触部および第二接触部と順次接触し、第一リンク機構および第二リンク機構を順次作動させる請求項３５に記載の組立工具。
【請求項３７】
上記トリガは単一の一定方向のトリガの運動で上記リンク機構を順次作動させる請求項３６に記載の組立工具。
【請求項３８】
上記モータはベルビルワッシャのスタックを具備する請求項３３に記載の組立工具。
【請求項３９】
第一モジュール式連結構成要素と第二モジュール式連結構成要素とを組み立てるための組立工具であって、
ハンドルと、
軸線方向に移動するようにハンドルに取付けられ且つ軸線方向の力を伝達するように第一モジュール式連結構成要素と係合可能な第一シャフト部材と、
上記ハンドルに繋止され且つ軸線方向の力を伝達するように第二モジュール式連結構成要素と係合可能な第二シャフト部材と、
上記第一シャフト部材に軸線方向の力を加えて上記連結構成要素を移動させるように上記第一部材と係合する発動機とを具備し、当該組立工具が該発動機を駆動するためのエネルギを蓄える組立工具。
【請求項４０】
上記発動機は該発動機を駆動するためのエネルギを蓄えるように圧縮可能なバネを具備する請求項３９に記載の組立工具。
【請求項４１】
上記バネは一連のベルビルワッシャを具備する請求項４０に記載の組立工具。
【請求項４２】
上記第一シャフト部材および第二シャフト部材は細長いシャフトを具備し、前記第一シャフト部材は上記第二シャフト部材と同軸に取付けられる請求項４０に記載の組立工具。
【請求項４３】
上記バネの第一端部に取付けられた第一リンク機構と、第二リンク機構とをさらに具備し、上記第一リンク機構は、上記バネの第一端部を解放して、蓄えられたエネルギの第一部分を解放し、上記第二シャフト部材に対して上記第一シャフト部材を軸線方向に移動させるように作動可能であり、上記第二リンク機構は、上記バネの第二端部を解放して、蓄えられたエネルギの第二部分を解放する請求項４２に記載の組立工具。
【請求項４４】
上記バネの第二端部の解放は該バネを圧縮されていない状態に戻す請求項４３に記載の組立工具。
【請求項４５】
上記第一リンク機構および第二リンク機構はそれぞれ一つの結合された回転リンクを具備し、これらリンクの回動は各リンク機構に近接して上記ハンドルに摺動するように取付けられた繋止ピンによってブロックされる請求項４３に記載の組立工具。
【請求項４６】
トリガおよび一対のレバーをさらに具備し、これらレバーはそれぞれ第一端部および第二端部を有し、各レバーは揺動ピンによって上記ハンドルにピン留めされ、各レバーの第一端部はリンク機構繋止ピンの一つと係合し、上記トリガは揺動ピンによって上記ハンドルにピン留めされ、該トリガは両レバーの第二端部と重なり、これら第二端部を順次解放して順次リンク機構を作動させるように揺動ピン回りで回動する請求項４５に記載の組立工具。
【請求項４７】
モジュール式構成要素を組み立てるための組立方法であって、
対応する第一係合部分および第二係合部分を有する第一モジュール式連結構成要素および第二モジュール式連結構成要素を提供する工程と、
第一工具要素と第二工具要素とを有する工具であって、第一工具要素と第二工具要素とを互いに対して付勢することができる蓄えられたエネルギを含む工具を提供する工程と、
上記第一係合部分と第二係合部分とを整列させる工程と、
上記第一工具要素および第二工具要素を上記第一モジュール式連結構成要素および第二モジュール式連結構成要素に係合させ、上記工具を作動させて、上記蓄えられたエネルギを解放して、上記第一工具要素および第二工具要素を付勢し、第一モジュール式連結構成要素と第二モジュール式連結構成要素とを引き寄せる工程とを具備する組立方法。
【請求項４８】
上記蓄えられたエネルギは少なくとも一つの圧縮されたバネによって提供される請求項４７に記載の組立方法。
【請求項４９】
上記第一モジュール式連結構成要素および第二モジュール式連結構成要素は互いに引き寄せられたときに圧入係合を形成する請求項４７に記載の組立方法。
【請求項５０】
上記第一モジュール式連結構成要素および第二モジュール式連結構成要素は頸骨用膝補綴部材を具備し、該頸骨用膝補綴部材は、ほぼ平坦な頂面と底面とを有するトレイと、頂端部と底端部とを有する細長い本体を形成するキールとを有し、上記トレイおよび上記キールの一方は外側に突出するボスを備え、上記ボスは筒状部分およびテーパ状部分を備える外壁を有し、上記トレイおよび上記キールの他方はボア壁を形成する内側に延びるボアを備え、上記ボア壁は筒状部分とテーパ状部分とを備え、上記キールは上記ボスがボア内に受容された状態で上記トレイに取り外し可能に係合可能であり、上記ボスのテーパ状部分は上記ボアのテーパ状部分の上に載置され、上記ボスの筒状部分は圧入状態で上記ボアの筒状部分に受容されて上記トレイと上記キールとの間の結合部を形成する請求項４９に記載の組立方法。